(57)【特許請求の範囲】
【請求項１】
太陽電池の発電電圧が設定電圧に達したことを検出して前記太陽電池を制御電源回路へ第１のリレーを介して接続する電圧監視回路をもつ太陽光発電用インバータにおいて、
前記電圧監視回路と系統電源を第２のリレーを介し整流回路で整流した直流電源回路とを電圧優先回路を介して並列接続した制御電源回路と、前記系統電源を前記第２のリレーの励磁部に接続するスイッチ手段とを備え、
前記電圧優先回路は、前記電圧監視回路に接続されている前記太陽電池の電圧が上昇し定電圧ダイオードの電圧を越えると、前記制御電源回路に前記太陽電池の電圧を供給し、一方、定電圧ダイオードの電圧を越えない場合は、前記系統電源を整流し、直流電圧に変換して制御電源回路に電力を供給し、電圧の高い回路を優先して前記制御電源回路へ供給することを特徴とする太陽光発電用インバータ。
【発明の詳細な説明】
【０００１】
【発明の属する技術分野】
本発明は太陽光の無い夜間に太陽光発電システムが発電した電力量あるいはインバータの制御定数を表示するインバータ装置に関する。
【０００２】
【従来の技術】
太陽光発電システムの従来例の構成を図２に示す。図２に於いて、１は太陽電池、２はインバータのリップル電流を吸収し、サージ電圧などを吸収する平滑コンデンサ、３は逆並列にダイオードを有するパワースイッチング素子で構成する単相インバータ、４はインバータのコントローラからの信号により系統電源とインバータを接続あるいは解列するスイッチ、５は太陽電池の電圧を監視し、太陽電池の電圧が設定値に達したことを検出して７の電源回路に太陽電池の電圧を接続する６のリレーを駆動する電圧監視回路、７はインバータのコントローラ及びパワースイッチング素子駆動回路の制御電源回路、８はインバータ制御回路、９は発電量及びインバータの制御定数を表示させる信号をインバータ制御部に与える押しボタンである。また、５に示す電圧監視回路に於いて、２１は２２の定電圧ダイオードの電流制限用抵抗、２２は、７の電源回路に太陽電池からの電圧の供給を開始する太陽電池電圧の電圧値を設定する定電圧ダイオード、２３は安定化抵抗、２４は２５のリレー駆動用トランジスタ、２５は太陽電池の電圧を電源回路に供給あるいは供給停止するリレー６の励磁コイルである。
次に動作を説明する。５の電圧監視回路は、電圧監視回路に接続されている太陽電池の電圧が上昇し定電圧ダイオードの電圧を越えると、２２の低電圧ダイオードに電流が流れる。この電流は２４のトランジスタのベース・エミッタを通して流れ、トランジスタがスイッチングしＯＮとなる。トランジスタのスイッチングにより２５のリレーの励磁コイルが駆動され、リレーの接点が閉じ、太陽電池の電圧が電源回路に供給される。この電源回路はインバータのコントローラ用として例えば＋５Ｖ、±１５Ｖ、パワースイッチング素子駆動用として＋２０Ｖなどの電圧を作る。一方、太陽電池の電圧が低下して２２の定電圧ダイオードの電圧より下がると２４のトランジスタがＯＦＦし、リレー２５の接点が開き太陽電池から電源回路への電圧供給が停止する。
次に、太陽光発電システムの動作について説明する。１の太陽電池の電圧が上昇すると前述の電源監視回路が作動し、７の電源回路に太陽電池の電圧が供給される。電源回路はインバータ用の制御電圧を発生し、制御電源をインバータに供給する。インバータのコントローラは太陽電池の発電量を監視しておき、発電量が設定値を越えた時点でスイッチ４を閉じる。同時にインバータは、スイッチングを開始し、系統電源に同期した正弦波電圧、正弦波電流を発生して系統連系を始める。また、インバータは太陽電池の瞬時の発電量、設定した期間の発電量および稼働日から現在までの積算発電量等を計算し、インバータの制御定数と共にデータをメモリに格納しておく。押しボタン９が押されると、それぞれの発電量あるいは制御定数を操作パネル等の表示部に表示する。
【０００３】
【発明が解決しようとする課題】
ところが、従来技術では、太陽電池の発電量が一定量以上のときのみ発電量やインバータの制御定数の表示が可能であるが、夜間の太陽光の無い時間帯にはインバータからの表示ができないという問題があった。
そこで、本発明は太陽光の無い夜間でも必要な時間に発電量やインバータの制御定数を表示することを目的とする。
【０００４】
【課題を解決するための手段】
上記問題点を解決するため、本発明は、太陽電池の発電電圧が設定電圧に達したことを検出して前記太陽電池を制御電源回路へ第１のリレーを介して接続する電圧監視回路をもつ太陽光発電用インバータにおいて、
前記電圧監視回路と系統電源を第２のリレーを介し整流回路で整流した直流電源回路とを電圧優先回路を介して並列接続した制御電源回路と、前記系統電源を前記第２のリレーの励磁部に接続するスイッチ手段とを備え、
前記電圧優先回路は、前記電圧監視回路に接続されている前記太陽電池の電圧が上昇し定電圧ダイオードの電圧を越えると、前記制御電源回路に前記太陽電池の電圧を供給し、一方、定電圧ダイオードの電圧を越えない場合は、前記系統電源を整流し、直流電圧に変換して制御電源回路に電力を供給し、電圧の高い回路を優先して前記制御電源回路へ供給するものである。
【０００５】
【発明の実施の形態】
以下、本発明の実施例を図１の太陽光発電システム構成例に従って説明する。なお、図１においては図２と同一の名称には同一の符号を付し、重複説明を省略する。図１と図２の電源監視回路についての相違は、図に於いて２７のダイオード、２８のダイオードを追加して太陽電池からの電力の供給と系統電源からの電力の供給との優先回路を構成した点である。従って、太陽電池の電圧変化に対する電源監視回路の動作は図２に示す従来例と同様であり、省略する。
太陽の照射が無くなり太陽電池が発電を停止している時間帯に１０の押しボタンを押すと３０のリレーが励磁され系統電源が接続される。２９のダイオードブリッジにより系統電源を整流し、直流電圧に変換して制御電源回路に電力を供給する。ダイオード２７および２８は電圧の優先回路であり、電圧の高い回路が優先する。太陽電池が発電していない場合は系統電源が優先する。インバータ制御部は押しボタン１０が押されたことを３０のリレー接点により判断し、１１の双方向スイッチを一定時間保持する。
押しボタン１０と双方向スイッチ１１により自己保持形のスイッチ手段を構成しているので、押しボタン１０から手を放しても一定時間その状態を保持できる。系統電源から制御電源回路に電力を供給している間に９の押しボタンを押し、表示したい情報を選び、電力量あるいはインバータの制御定数を表示する。
インバータの制御電源回路の電力を系統電源から供給できる構成としたので、太陽電池が発電していない夜間においても、任意の時間に発電システムの発電量あるいはインバータの制御定数を表示することができる。
【０００６】
【発明の効果】
以上述べたように、本発明によれば太陽光の無い夜間でも系統電源からインバータの制御電源に電力を供給できるように構成したので、任意の時間に太陽光発電システムが発電した発電量を知ることができる。また、インバータの制御定数も表示する事ができるのでインバータのメンテナンスも容易に行うことができる。
【図面の簡単な説明】
【図１】  本発明の実施例を示す構成図
【図２】  従来技術の実施例を示す構成図
【符号の説明】
１  太陽電池
２  平滑コンデンサ
３  単相インバータ主回路
４  解列スイッチ
５  電圧監視回路
６、３０  リレー
７  制御電源回路
８  インバータ制御部
９、１０  押しボタンスイッチ
１１  双方向スイッチ
２１、２３  抵抗
２２  定電圧ダイオード
２４  リレー駆動用トランジスタ
２５  リレー６の励磁コイル
２６  リレー３０の励磁コイル
２７、２８  ダイオード
２９  ダイオードブリッジ
３０  リレー
３１  電圧優先回路
【図１】
0003636352.tif 000002
【図２】
0003636352.tif 000003